(57)【要約】      （修正有）【課題】光線にハイビーム又はロービームの効果を発生させる遠近照射機能を有するＬＥＤプロジェクタ型ランプを提供する。【解決手段】ＬＥＤプロジェクタ型ランプは、ランプホルダ１、ＬＥＤランプ群２、反射鏡群３、隔板４及びランプカバー５を備える。ランプホルダは、内部空間１１を有し、内部空間の中央部には、基板１２が配設される。ＬＥＤランプ群は、基板の上面に設けられた第１のＬＥＤランプ２１と、底面に設けられた第２のＬＥＤランプ２２とを含む。第１のＬＥＤランプと第２のＬＥＤランプとは位置が前後にずれて設置されている。反射鏡群は、異なる曲率を有する第１の反射鏡３１及び第２の反射鏡３２を含む。第１の反射鏡及び第２の反射鏡は、ランプホルダの内部空間にそれぞれ設置され、前後に位置がずれている。【選択図】図１
0003195384.tif 000002
【実用新案登録請求の範囲】
【請求項１】
ランプホルダ、ＬＥＤランプ群、反射鏡群、隔板及びランプカバーを備えた、遠近照射機能を有するＬＥＤプロジェクタ型ランプであって、
前記ランプホルダは、内部空間を有し、前記内部空間の中央部には、基板が配設され、
前記ＬＥＤランプ群は、前記基板の上面に設けられた第１のＬＥＤランプと、前記基板の底面に設けられた第２のＬＥＤランプとを含み、前記第１のＬＥＤランプと前記第２のＬＥＤランプとは位置が前後でずれて設置され、
前記反射鏡群は、互いに異なる曲率を有する第１の反射鏡及び第２の反射鏡を含み、前記第１の反射鏡及び前記第２の反射鏡は、前記ランプホルダの内部空間にそれぞれ設置され、前記第１の反射鏡と前記第２の反射鏡とは前後で位置がずれ、
前記隔板は、前記基板の前端に対応して配設され、前記隔板の前端部には円弧状凹部が形成され、
前記ランプカバーは、前記ランプホルダの前端を覆い、前記ランプカバー上には、凸レンズが配設されることを特徴とする、
遠近照射機能を有するＬＥＤプロジェクタ型ランプ。
【請求項２】
前記隔板の前記円弧状凹部の両側には、平坦部がそれぞれ形成されていることを特徴とする請求項１に記載の遠近照射機能を有するＬＥＤプロジェクタ型ランプ。
【考案の詳細な説明】
【技術分野】
【０００１】
本考案は、遠近照射機能を有するＬＥＤプロジェクタ型ランプに関し、特に、異なる位置に互いにずれるように設けられた光源と、隔板の円弧状凹部とにより光線を屈折させ、光線にハイビーム又はロービームの効果を発生させる遠近照射機能を有するＬＥＤプロジェクタ型ランプに関する。
【背景技術】
【０００２】
視界が悪い状況（例えば夜間、トンネル内、雨天、濃霧、天候不良など）において、安全を確保するために車両用ランプ（例えばヘッドライト）が取り付けられる。この車両用ランプは、運転手の視野を確保するために、ハイビームとロービームの切替え機能を有する。
【０００３】
従来のハイビームとロービームの切替え機能を有するランプには、例えば本出願人が出願した特許文献１がある。特許文献１の「遠近ランプ切替え装置の改良構造」の切替え装置は、固定片、電磁弁、遮光板及び牽引片を含む。
固定片は、上端にランプの発光部材に対応して切欠きが凹設され、下端に電磁弁が結合されている。電磁弁の一側の切欠き下端の両側には、枢着座が突設されている。遮光板の下端の一側には、上下の枢着孔の２つの枢着片が間隔をおいて延設され、上向きコ字状の弾性係合片の両端が固定片の枢着座へ挿着されている。牽引片は、両端が遮光板の２つの枢着片の下枢着孔に挿着されて位置決めされ、延伸片が電磁弁の弁軸杆の上部に嵌合され、電磁弁の作動により牽引片が下方へ引っ張られると、遮光板が揺動して遠近ランプが切替えられる。
【０００４】
また、特許文献２〜４などの構造には、例えば、電磁弁、モータなどの動力源が必要であり、遮蔽片を駆動させて光線を遮り、遠近ランプの機能を得ていた。
【０００５】
しかし、上述の構造を構成して配置する際、構成部材が多すぎる上、動力源の設置によりコストが多くかかり、組立てが複雑で手間がかかるため製造メーカにとって理想的ではなかった。
【０００６】
そのため、上述したような従来技術の問題点を改善する遠近照射機能を有するＬＥＤプロジェクタ型ランプが求められていた。
【先行技術文献】
【特許文献】
【０００７】
【特許文献１】台湾実用新案登録第Ｍ２９１３８２号公報
【特許文献２】台湾実用新案登録第Ｍ４３７２７７号公報
【特許文献３】台湾実用新案登録第Ｍ４０７１８５号公報
【特許文献４】台湾特許第Ｉ３３７１４３号公報
【考案の概要】
【考案が解決しようとする課題】
【０００８】
本考案の目的は、異なる位置に互いにずれるように設けた光源と、隔板の円弧状凹部とにより光線を屈折させ、光線にハイビーム又はロービームの効果を発生させる遠近照射機能を有するＬＥＤプロジェクタ型ランプを提供することにある。
【課題を解決するための手段】
【０００９】
上記課題を解決するために、本考案の第１の形態によれば、ランプホルダ、ＬＥＤランプ群、反射鏡群、隔板及びランプカバーを備えた、遠近照射機能を有するＬＥＤプロジェクタ型ランプであって、前記ランプホルダは、内部空間を有し、前記内部空間の中央部には、基板が配設され、前記ＬＥＤランプ群は、前記基板の上面に設けられた第１のＬＥＤランプと、前記基板の底面に設けられた第２のＬＥＤランプとを含み、前記第１のＬＥＤランプと前記第２のＬＥＤランプとは位置が前後でずれて設置され、前記反射鏡群は、互いに異なる曲率を有する第１の反射鏡及び第２の反射鏡を含み、前記第１の反射鏡及び前記第２の反射鏡は、前記ランプホルダの内部空間にそれぞれ設置され、前記第１の反射鏡と前記第２の反射鏡とは前後で位置がずれ、前記隔板は、前記基板の前端に対応して配設され、前記隔板の前端部には円弧状凹部が形成され、前記ランプカバーは、前記ランプホルダの前端を覆い、前記ランプカバー上には、凸レンズが配設されることを特徴とする遠近照射機能を有するＬＥＤプロジェクタ型ランプが提供される。
【００１０】
前記隔板の前記円弧状凹部の両側には、平坦部がそれぞれ形成されていることが好ましい。
【考案の効果】
【００１１】
本考案の遠近照射機能を有するＬＥＤプロジェクタ型ランプは、従来技術と比べて以下（１）〜（３）の効果を有する。
（１）ＬＥＤランプを照明光源として用いることができ、従来技術の電球よりも小型、長寿命、低消費電力、高速反応などの長所を有する。
（２）従来技術のように多数の構成要素は必要無く、隔板及び円弧状凹部を設けるだけで良いため、組立て過程が簡素である上、製造コストを減らすことができる。
（３）ＬＥＤランプがずれて設置され、反射鏡及び隔板の円弧状凹部の屈折原理を利用し、光線に遠距離・近距離の照射効果を発生させてプロジェクタ型ランプに遠近ランプの機能を持たせるとともに、隔板の円弧状凹部の形状と平坦部のサイズとにより調整し、所望の光線を得ることができる。
【図面の簡単な説明】
【００１２】
【図１】本考案の一実施形態に係る遠近照射機能を有するＬＥＤプロジェクタ型ランプを示す分解斜視図である。
【図２】本考案の一実施形態に係る遠近照射機能を有するＬＥＤプロジェクタ型ランプを示す縦断面図である。
【図３】本考案の一実施形態に係る遠近照射機能を有するＬＥＤプロジェクタ型ランプを示す横断面図である。
【考案を実施するための形態】
【００１３】
以下、本考案の実施形態について図に基づいて説明する。なお、これによって本考案が限定されるものではない。
【００１４】
まず、図１及び図２を参照する。図１は、本考案の一実施形態に係る遠近照射機能を有するＬＥＤプロジェクタ型ランプを示す分解斜視図である。図２は、本考案の一実施形態に係る遠近照射機能を有するＬＥＤプロジェクタ型ランプを示す縦断面図である。
【００１５】
図１及び図２に示すように、本考案の一実施形態に係る遠近照射機能を有するＬＥＤプロジェクタ型ランプは、少なくともランプホルダ１、ＬＥＤランプ群２、反射鏡群３、隔板４及びランプカバー５から構成されてなる。
【００１６】
ランプホルダ１は、内部空間１１を有する。内部空間１１の中央部には、基板１２が配設されている。
【００１７】
ＬＥＤランプ群２は、基板１２の上面に設けられた第１のＬＥＤランプ２１と、底面に設けられた第２のＬＥＤランプ２２とを含む。第１のＬＥＤランプ２１と第２のＬＥＤランプ２２とは、前後で位置がずれて設置されている。
【００１８】
反射鏡群３は、互いに異なる曲率を有する第１の反射鏡３１及び第２の反射鏡３２を含む。第１の反射鏡３１及び第２の反射鏡３２は、ランプホルダ１の内部空間に設置される。反射鏡群３は、２つのＬＥＤランプ群２に対応して設置され、第１の反射鏡３１は基板１２の上面に位置し、第２の反射鏡３２は基板１２の底面に位置し、第１の反射鏡３１と第２の反射鏡３２とは位置が前後でずれている。
【００１９】
隔板４は、基板１２の前端部に配設されている。隔板４の前端部には円弧状凹部４１が形成され、円弧状凹部４１の両側端には平坦部４２がそれぞれ形成されている。
【００２０】
ランプカバー５は、ランプホルダ１の前端を覆っている。ランプカバー５上には、凸レンズ５１が配設されている。
【００２１】
図１〜図３を参照する。図１〜図３に示すように、本考案の一実施形態に係る遠近照射機能を有するＬＥＤプロジェクタ型ランプは、ＬＥＤランプ群２の基板１２がランプホルダ１の内部空間１１に配設され、基板１２の底面に設けられた第２のＬＥＤランプ２２は、前方に位置していることが好ましく、基板１２の上面に設けられた第１のＬＥＤランプ２１は、後方に位置していることが好ましい。
２つのＬＥＤランプ群２に対応した反射鏡群３は、それぞれ異なる曲率を有する。反射鏡群３は、ランプホルダ１の内部空間１１に対応して結合され、第１の反射鏡３１は第１のＬＥＤランプ２１に対応して設置され、第２の反射鏡３２は第２のＬＥＤランプ２２に対応して設置されている。第１の反射鏡３１と第２の反射鏡３２とは、前後にずれた第１のＬＥＤランプ２１と第２のＬＥＤランプ２２とに対応して前後にずれて位置する。隔板４は、基板１２の前方に配設されるとともに、ランプカバー５により覆われる。
【００２２】
図１〜図３を参照する。図１〜図３に示すように、実際に使用する際、プロジェクタ型ランプの基板１２の上面に設けられた第１のＬＥＤランプ２１が点灯すると、第１の反射鏡３１により光線が反射され、第１の反射鏡３１の曲率により光線の反射焦点が隔板４の円弧状凹部４１の周縁に集中し、隔板４の円弧状凹部４１を透過した光線が凸レンズ５１の下方に投射され、照射面積が広いロービームが得られる。
【００２３】
プロジェクタ型ランプの基板１２の底面に設けられた第２のＬＥＤランプ２２が同時に点灯すると、第２の反射鏡３２により光線が反射され、第２のＬＥＤランプ２２の光線の大部分が隔板４の円弧状凹部４１を透過し、凸レンズ５１上に投射されて集光され、一部の光線が平坦部４２及び隔板４により遮られ、第１のＬＥＤランプ２１及び第２のＬＥＤランプ２２の光線が隔板４を透過すると、所望のハイビーム照明が得られる。
【００２４】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２５】
１    ランプホルダ
２    ＬＥＤランプ群
３    反射鏡群
４    隔板
５    ランプカバー
１１  内部空間
１２  基板
２１  第１のＬＥＤランプ
２２  第２のＬＥＤランプ
３１  第１の反射鏡
３２  第２の反射鏡
４１  円弧状凹部
４２  平坦部
５１  凸レンズ
【図１】
0003195384.tif 000003
【図２】
0003195384.tif 000004
【図３】
0003195384.tif 000005